(57)【要約】【課題】蓋部を簡単な構造によって容易に開封することができるようにした包装箱を提供する。【解決手段】包装箱１を、前面板２、左右両側面板３、後面板４、上下両蓋部５、差込片６および左右１対の上下両フラップ７により組立てるとともに、フラップ７に係止部７ａを設け、この係止部７ａを、蓋部５と差込片６との折曲げ線ｇ上に形成した切込み部１０に食い込ませて係止させた包装箱において、上下蓋部５の少なくとも一方に、当該蓋部５に連係する摘み片１６を、上下方向の外側に向けて起立可能に設け、この摘み片１６の引張り操作によって、蓋部５を開封しうるようにする。【選択図】    図１
2008308172.tif 000002
【特許請求の範囲】
【請求項１】
前面板、左右両側面板、後面板、上下両蓋部、差込片および左右１対の上下両フラップにより組立てるとともに、前記フラップに係止部を設け、この係止部を、蓋部と差込片との折曲げ線上に形成した切込み部に食い込ませて係止させた包装箱において、
前記上下蓋部の少なくとも一方に、当該蓋部に連係する摘み片を上下方向の外側に向けて起立可能に設け、この摘み片の引張り操作によって、蓋部を開封しうるようにしたことを特徴とする包装箱。
【請求項２】
摘み片を、蓋部と差込片との折曲げ線上に、上下方向の外側に向けて起立可能に設けた請求項１記載の包装箱。
【請求項３】
摘み片を、差込片に切起し可能に設けた請求項１または２記載の包装箱。
【請求項４】
摘み片を、蓋部に切起し可能に設けた請求項１または２記載の包装箱。
【請求項５】
摘み片を、蓋部と差込片との間に、上下方向の外側に向けて起立する前後１対の起立片を折返し重合させて形成した請求項１または２記載の包装箱。
【請求項６】
摘み片を、蓋部に、上下方向の外側に向けて起立する前後１対の起立片を折返し重合させて形成した請求項１記載の包装箱。
【請求項７】
摘み片の引張り操作による蓋部の開封動作に追従させて、前面板の一部を外開き状態に開口させうるようにした請求項１〜６項のいずれかに記載の包装箱。
【請求項８】
後面板の上部に吊支部を起立させて設けるとともに、この吊支部を、後面板の上端縁に起立させた後吊支片と、この後吊支片の上端縁から折り畳まれ、後吊支片の前面に重合される前吊支片と、この前吊支片から下方に向けて延設され、かつ後面板の前面に沿うように差込み可能な吊支差込片とにより形成した請求項１〜７項のいずれかに記載の包装箱。
【発明の詳細な説明】
【技術分野】
【０００１】
本発明は、鉛筆等の販売時に使用される包装箱に関する。
【背景技術】
【０００２】
従来、図９に示すように、例えば１ダースの鉛筆Ｐが収容されるボール紙等の厚紙からなる包装箱０１においては、図１０に示すように、展開状態にある一連の前面板０２、左右両側面板０３、後面板０４、上下両蓋部０５、差込片０６および左右１対の上下両フラップ０７を、各折曲げ線ａ〜ｇで折り曲げるとともに、一方の側面板０３の裏面に、糊代片０８を貼着することにより組立てるようにしたものが知られている。
【０００３】
このような包装箱０１は、蓋部０５と差込片０６との折曲げ線ｇ上の両端に、切込み部０９がそれぞれ形成され、図１１に示すように、組立時に、これらの切込み部０９に、各フラップ０７の係止部０７ａを食い込ませて係止させることにより、ハンガー掛け等の展示販売状態において、下蓋部０５が鉛筆Ｐの重さによって開封して、鉛筆Ｐが落下しないようにしたり、上蓋部０５が容易に開封しないようにしている。
【０００４】
このため、購入後に、包装箱０１内から鉛筆Ｐを取り出す際に、後面板０４と蓋部０５との間の隙間に指を突っ込んで、上下いずれか一方の蓋部０５を、無理に外側に向けて抉じ開けようとすると、切込み部０９に対するフラップ０７の係止部０７ａの食い込みが更に深くなって、蓋部０５が開封しにくく、容易に取出すことができないばかりか、差込片０６が引き千切れて、蓋部０５を損傷させたり、破損する虞があるという問題があった。
【発明の開示】
【発明が解決しようとする課題】
【０００５】
本発明は、前記の現状に鑑み、簡単な構造によって、蓋部を容易に開封することができるようにした、鉛筆等の販売時に使用される包装箱を提供することを目的とする。
【課題を解決するための手段】
【０００６】
上記課題は「特許請求の範囲」の欄における各請求項に記載するように、次のような構成からなる発明によって解決される。
（１）  前面板、左右両側面板、後面板、上下両蓋部、差込片および左右１対の上下両フラップにより組立てるとともに、前記フラップに係止部を設け、この係止部を、蓋部と差込片との折曲げ線上に形成した切込み部に食い込ませて係止させた包装箱において、前記上下蓋部の少なくとも一方に、当該蓋部に連係する摘み片を上下方向の外側に向けて起立可能に設け、この摘み片の引張り操作によって、蓋部を開封しうるようにする。
【０００７】
（２）  上記（１）項において、摘み片を、蓋部と差込片との折曲げ線上に、上下方向の外側に向けて起立可能に設ける。
【０００８】
（３）  上記（１）項または（２）項において、摘み片を、差込片に切起し可能に設ける。
【０００９】
（４）  上記（１）項または（２）項において、摘み片を、蓋部に切起し可能に設ける。
【００１０】
（５）  上記（１）項または（２）項において、摘み片を、蓋部と差込片との間に、上下方向の外側に向けて起立する前後１対の起立片を折返し重合させて形成する。
【００１１】
（６）  上記（１）項において、摘み片を、蓋部に、上下方向の外側に向けて起立する前後１対の起立片を折返し重合させて形成する。
【００１２】
（７）  上記（１）項〜（６）項のいずれかにおいて、摘み片の引張り操作による蓋部の開封動作に追従させて、前面板の一部を外開き状態に開口させうるようにする。
【００１３】
（８）  上記（１）項〜（７）項のいずれかにおいて、後面板の上部に吊支部を起立させて設けるとともに、この吊支部を、後面板の上端縁に起立させた後吊支片と、この後吊支片の上端縁から折り畳まれ、後吊支片の前面に重合される前吊支片と、この前吊支片から下方に向けて延設され、かつ後面板の前面に沿うように差込み可能な吊支差込片とにより形成する。
【発明の効果】
【００１４】
本発明によると、次のような効果が奏せられる。
請求項１記載の発明によると、摘み片を、蓋部に連係させて、上下方向の外側に向けて起立可能に設けるとともに、この摘み片の引張り操作によって、蓋部を開封しうるようにしてあるため、フラップの係止部と、蓋部と差込片との折曲げ線上における切込み部との係止状態を、ワンタッチ操作によって、容易に解除することができ、蓋部を簡単な構造によって容易に開封することができる。
【００１５】
請求項２記載の発明によると、摘み片を、蓋部と差込片との折曲げ線上に、上下方向の外側に向けて起立可能に設けてあるため、前項と同様な効果を奏することができる。
【００１６】
請求項３記載の発明によると、摘み片を、差込片に切起し可能に設けてあるため、摘み片を容易に形成することができ、前項と同様な効果を奏することができる。
【００１７】
請求項４記載の発明によると、摘み片を、蓋部に切起し可能に設けてあるため、前項と同様な効果を奏することができる。
【００１８】
請求項５記載の発明によると、摘み片を、蓋部と差込片との間に、上下方向の外側に向けて起立する前後１対の起立片を折返し重合させて形成してあるため、前項と同様な効果を奏することができる。
【００１９】
請求項６記載の発明によると、摘み片を、蓋部に、上下方向の外側に向けて起立する前後１対の起立片を折返し重合させて形成してあるため、前項と同様な効果を奏することができる。
【００２０】
請求項７記載の発明によると、摘み片の引張り操作による蓋部の開封動作に追従させて、前面板の一部を外開き状態に開口させうるようにしてあるため、前項と同様な効果を奏することができるとともに、包装箱内の中身の取出しを容易に行うことができる。
【００２１】
請求項８記載の発明によると、後面板の上部に吊支部を設けてあるため、包装箱の吊支展示を容易に行うことができる。
【発明を実施するための最良の形態】
【００２２】
以下、本発明の実施形態を、鉛筆を販売する際に、その１ダースを収容して販売する包装箱を例に採り上げて説明する。
図１は、本発明の第１実施形態における包装箱の斜視図、図２は、図１のII−II線における縦断面図、図３は、包装箱の展開図、図４は、包装箱を組立てる際の折曲げ状態を示す後方視斜視図、図５は、蓋部を開封する状態を示す要部拡大斜視図である。
【００２３】
図１および図２に示すように、本発明の包装箱１は、ボール紙等の厚紙を所定の形状となし、これを折り曲げて組み立てることによって形成されている。
この包装箱１は、前面板２、左右両側面板３、後面板４、上下両蓋部５、差込片６、左右１対の上下両フラップ７、吊支部８および糊代片９をもって形成されている。
【００２４】
包装箱１は、図３および図４に示すように、展開状態にある一連の前面板２、左右両側面板３、後面板４、上下両蓋部５、差込片６、左右１対の上下両フラップ７、吊支部８および糊代片９を、各折曲げ線ａ〜ｈで折り曲げるとともに、右方の側面板３の裏面に、糊代片９を貼着することにより組立てられている。
【００２５】
蓋部５と差込片６との折曲げ線ｇ上における左右両端には、切込み部１０がそれぞれ形成され、各切込み部１０には、図１１に示す従来構造と同様に、組立時に、各フラップ７の係止部７ａを、食い込ませるようにして係止させてある。
これにより、ハンガー掛け等の展示販売状態において、下蓋部５が鉛筆Ｐの重さによって容易に開封しないようにして、包装箱１内に収容した鉛筆Ｐが落下を防止するとともに、上蓋部５が容易に開封しないようにしてある。
【００２６】
吊支部８は、図３および図４に示すように、後面板４の上端縁から上方に向けて延設した後吊支片１１、前吊支片１２、および吊支差込片１３とによって形成されている。
吊支板８として組立てるには、前吊支片１２を、折曲げ線ｈを介して後吊支片１１の前面に向けて折畳み重合させるとともに、それらの折畳み重合状態において、図１及び図２に示すように、前吊支片１２の下端縁から下方に向けて延設されている吊支差込片１３を、組立状態における後面板４の前面に沿うように、下向きに差し込んで組み立てられている。
後吊支片１１および前吊支片１２のほぼ左右中央には、貫通孔１４Ａ、１４Ｂがそれぞれ穿設され、これら貫通孔１４Ａ、１４Ｂは、後吊支片１１および前吊支片１２の折畳み重合状態において整合し、図１及び図２に示すように、吊支部８に吊孔１５が形成されるようになっている。
【００２７】
図１〜図４に示すように、蓋部５と差込片６との折曲げ線ｇ上の左右中央には、摘み片１６が上向きに起立した状態で形成されている。
この摘み片１６は、差込片６に形成した切込み１７を利用して、包装箱１の組立時に、外側に向けて切起すことにより形成されている。
上蓋部５を開封するには、図５に示すように、摘み片１６を指で摘み、上方に向けて引張ることにより、フラップ７の係止部７ａと、切込み部１０との係止状態が解除され、容易に上蓋部５を開封することができる。
【００２８】
包装箱１の具体的な組立て手順は、次のようにして行う。
図３に示すように、折曲げ線ａ、ｂ、ｃ、ｄに沿って前面板２、左側面板３、後面板４、糊代片９および右側面板３を折り曲げて右側面板３の内側に糊代片９を接着する。
【００２９】
次いで、左右の下フラップ７、底板となる下蓋部５及び下差込片６をそれぞれ折曲げ線ｅ、ｆ、ｇで折り曲げるとともに、下フラップ７の係止部７ａを、下蓋部５と下差込片６との折曲げ線ｇに形成した切込み部１０に食い込ませて係止させながら、底部を組み立てる。
【００３０】
この状態で、上部が開口する包装箱１内に、１２本の鉛筆Ｐを収容した後、前吊支片１２を折曲げ線ｈで折り曲げ、後吊支片１１と重ねることにより、吊支部８を形成するとともに、左右の上フラップ７、天板となる上蓋部５及び上差込片６をそれぞれ折曲げ線ｅ、ｆ、ｇで折り曲げ、上フラップ７の係止部７ａを、上蓋部５と上差込片６との折曲げ線ｇに形成した切込み部１０に食い込ませて係止させながら組み立てる。
このとき、上差込片６に切起し可能に形成した摘み片１６を上下方向の外側、すなわち、上方に向けて起立させる。
【００３１】
図６は、本発明の第２実施形態における包装箱を示し、（ａ）は蓋部の閉塞状態を示す要部拡大斜視図、（ｂ）は蓋部の閉塞状態を示す要部拡大斜視図である。
【００３２】
本実施形態では、図６（ａ）に示すように、包装箱１８の上蓋部１９と差込片２０との間に、上方の外側に向けて起立可能な前後１対の起立片２１Ａ、２１Ｂを折返し重合させることにより、摘み片２１を形成してある。
上蓋部１９を開封する際には、図６（ｂ）に示すように、摘み片２１を上方に向けて引張ることにより、容易に開封することができる。
【００３３】
図７は、本発明の第３実施形態における包装箱を示し、（ａ）は蓋部の閉塞状態を示す要部拡大斜視図、（ｂ）は蓋部の閉塞状態を示す要部拡大斜視図である。
【００３４】
本実施形態では、図７（ａ）に示すように、包装箱２２の上蓋部２３における前後方向の中央部に、上下方向の外側に向けて起立可能な前後１対の起立片２４Ａ、２４Ｂを折返し重合させることにより、摘み片２４を形成してある。
上蓋部２３を開封する際には、図７（ｂ）に示すように、摘み片２４を上方に向けて引張ることにより、容易に開封することができる。
【００３５】
図８は、本発明の第４実施形態における包装箱を示し、（ａ）は蓋部の閉塞状態を示す要部拡大斜視図、（ｂ）は蓋部の閉塞状態を示す要部拡大斜視図、（ｃ）は前面板の開口状態を示す要部拡大斜視図である。
【００３６】
本実施形態では、図８（ａ）に示すように、包装箱２５の上蓋部２６に、起立可能な摘み片２７を形成してある。
上蓋部２６を開封する際には、図８（ｂ）に示すように、摘み片２７を上方に向けて引張ることにより、容易に開封することができるとともに、前面板２８と左右の側面板２９との境界線上に形成した破断部３０によって、図８（ｃ）に示すように、上蓋部２６の開封動作に追従させて、前面板２８の上部２８ａを外開き状態に開口させるようにしてある。
これにより、包装箱１内からの鉛筆Ｐの取出しが一層容易になる。
【図面の簡単な説明】
【００３７】
【図１】本発明の第１実施形態における包装箱の斜視図である。
【図２】図１のII−II線における縦断面図である。
【図３】包装箱の展開図である。
【図４】包装箱を組立てる際の折曲げ状態を示す後方視斜視図である。
【図５】蓋部を開封する状態を示す要部拡大斜視図である。
【図６】本発明の第２実施形態における包装箱を示し、（ａ）は蓋部の閉塞状態を示す要部拡大斜視図、（ｂ）は蓋部の閉塞状態を示す要部拡大斜視図である。
【図７】本発明の第３実施形態における包装箱を示し、（ａ）は蓋部の閉塞状態を示す要部拡大斜視図、（ｂ）は蓋部の閉塞状態を示す要部拡大斜視図である。
【図８】本発明の第４実施形態における包装箱を示し、（ａ）は蓋部の閉塞状態を示す要部拡大斜視図、（ｂ）は蓋部の閉塞状態を示す要部拡大斜視図、（ｃ）は前面板の開口状態を示す要部拡大斜視図である。
【図９】従来の包装箱の斜視図である。
【図１０】同じく、包装箱の展開図である。
【図１１】蓋部と差込片との折曲げ線に形成した切込み部とフラップの係止部との係止状態を示す要部拡大斜視図である。
【符号の説明】
【００３８】
１    包装箱
２    前面板
３    側面板
４    後面板
５    蓋部
６    差込片
７    フラップ
７ａ  係止部
８    吊支部
９    糊代片
１０  切込み部
１１  後吊支片
１２  前吊支片
１３  差込片
１４Ａ  貫通孔
１４Ｂ  貫通孔
１５  吊孔
１６  摘み片
１７  切込み
１８  包装箱
１９  上蓋部
２０  差込片
２１  摘み片
２１Ａ  起立片
２１Ｂ  起立片
２２  包装箱
２３  上蓋部
２４  摘み片
２４Ａ  起立片
２４Ｂ  起立片
２５  包装箱
２６  上蓋部
２７  摘み片
２８  前面板
２８ａ  上部
２９  側面板
３０  破断部
０１  包装箱
０２  前面板
０３  側面板
０４  後面板
０５  蓋部
０６  差込片
０７  フラップ
０７ａ  係止部
０８  糊代片
０９  切込み部
ａ〜ｈ  折曲げ線
Ｐ    鉛筆
【図１】
2008308172.tif 000003
【図２】
2008308172.tif 000004
【図３】
2008308172.tif 000005
【図４】
2008308172.tif 000006
【図５】
2008308172.tif 000007
【図６】
2008308172.tif 000008
【図７】
2008308172.tif 000009
【図８】
2008308172.tif 000010
【図９】
2008308172.tif 000011
【図１０】
2008308172.tif 000012
【図１１】
2008308172.tif 000013